【手続補正書】
【提出日】平成28年6月24日(2016.6.24)
【手続補正１】
【補正対象書類名】明細書
【補正対象項目名】発明の名称
【補正方法】変更
【補正の内容】
【発明の名称】画像処理コントローラ、並びに、画像形成システム、その制御方法、及びプログラム
【手続補正２】
【補正対象書類名】明細書
【補正対象項目名】０００１
【補正方法】変更
【補正の内容】
【０００１】
本発明は、画像処理コントローラ、並びに、画像形成システム、その制御方法、及びプログラムに関し、特に、画像形成装置と画像処理コントローラとが連携して画像処理を行う画像形成システムの制御技術に関する。
【手続補正３】
【補正対象書類名】明細書
【補正対象項目名】０００９
【補正方法】変更
【補正の内容】
【０００９】
上記目的を達成するために、本発明の画像処理コントローラは、省電力状態に移行することが可能な画像形成装置と連携して画像処理を行う画像処理コントローラであって、前記画像形成装置の状態を取得する取得手段と、前記画像形成装置が省電力状態のときに前記画像形成装置が外部装置からジョブを受信した場合、前記取得手段により取得された前記画像形成装置の状態に基づいて前記画像形成装置を省電力状態から復帰させるかを判断する判断手段と、前記判断手段により、前記画像形成装置を省電力状態から復帰させる必要がないと判断された場合に、当該ジョブを保存する保存手段と、前記画像形成装置が省電力状態から復帰した場合に、前記保存手段に保存されたジョブに基づいて生成されたラスター画像データを前記画像形成装置に送信する送信手段とを備え、前記送信手段は、前記判断手段により前記画像形成装置を省電力状態から復帰させる必要があると判断された場合に、前記受信したジョブに基づいて生成されたラスター画像データを前記画像形成装置に送信することを特徴とする。
【手続補正４】
【補正対象書類名】特許請求の範囲
【補正対象項目名】全文
【補正方法】変更
【補正の内容】
【特許請求の範囲】
【請求項１】
省電力状態に移行することが可能な画像形成装置と連携して画像処理を行う画像処理コントローラであって、
前記画像形成装置の状態を取得する取得手段と、
前記画像形成装置が省電力状態のときに前記画像形成装置が外部装置からジョブを受信した場合、前記取得手段により取得された前記画像形成装置の状態に基づいて前記画像形成装置を省電力状態から復帰させるかを判断する判断手段と、
前記判断手段により、前記画像形成装置を省電力状態から復帰させる必要がないと判断された場合に、当該ジョブを保存する保存手段と、
前記画像形成装置が省電力状態から復帰した場合に、前記保存手段に保存されたジョブに基づいて生成されたラスター画像データを前記画像形成装置に送信する送信手段とを備え、
前記送信手段は、前記判断手段により前記画像形成装置を省電力状態から復帰させる必要があると判断された場合に、前記受信したジョブに基づいて生成されたラスター画像データを前記画像形成装置に送信することを特徴とする画像処理コントローラ。
【請求項２】
前記判断手段により、前記画像処理装置を省電力状態から復帰させる必要がないと判断された場合に、前記ジョブの印刷が後回し可能か否かを当該ジョブの送信元に問い合わせる通知手段をさらに備えることを特徴とする請求項１に記載の画像処理コントローラ。
【請求項３】
前記通知手段は、前記画像処理装置を省電力状態から復帰させる必要がないと判断された理由と印刷再開予定とを、前記ジョブの送信元に通知することを特徴とする請求項２に記載の画像処理コントローラ。
【請求項４】
前記送信手段により送信されたジョブの印刷が完了したかを判断する印刷完了判断手段と、
前記印刷完了判断手段により印刷が完了したと判断された場合に、前記ジョブの送信元に印刷が完了したことを通知するジョブ完了通知手段とをさらに備えることを特徴とする請求項１乃至３のいずれか１項に記載の画像処理コントローラ。
【請求項５】
ジョブに対して前記画像形成装置が省電力状態のときに後回し印刷可能かを設定させるためのジョブ設定手段と、
前記ジョブ設定手段により設定された情報に基づいて、受信したジョブに後回し印刷設定がなされているかを判断する後回し判断手段とをさらに備え、
前記保存ユニットは、前記後回し判断手段により後回し印刷設定がなされていると判断されたジョブを印刷待ちジョブとして保存すること特徴とする請求項１乃至４のいずれか１項に記載の画像処理コントローラ。
【請求項６】
前記取得手段により取得される前記画像形成装置の状態には、ウィークリーシャットダウン、オートシャットダウン、サスペンド、スケジュールプリントの設定が含まれ、
前記ウィークリーシャットダウン、オートシャットダウン、サスペンド、スケジュールプリントのいずれかの設定がなされていた場合には、前記判断手段は、前記画像形成装置を直ちに省電力状態から復帰させる必要がないと判断することを特徴とする請求項１乃至５のいずれか１項に記載の画像処理コントローラ。
【請求項７】
前記取得手段により取得される前記画像形成装置の状態は、エラー情報を含み、
前記取得手段により取得された前記エラー情報に基づいて前記画像形成装置でエラーが発生していると判断する場合には、前記判断手段は、前記画像形成装置を直ちに省電力状態から復帰させる必要がないと判断することを特徴とする請求項１乃至６のいずれか１項に記載の画像処理コントローラ。
【請求項８】
省電力状態に移行することが可能な画像形成装置と、当該画像形成装置と連携して画像処理を行う画像処理コントローラとを備える画像形成システムにおいて、
前記画像形成装置は、
当該画像形成装置の状態を通知する通知手段を備え、
前記画像処理コントローラは、
前記通知手段によって通知される前記画像形成装置の状態を取得する取得手段と、
前記画像形成装置が省電力状態のときに前記画像処理コントローラが外部装置からジョブを受信した場合、前記取得手段により取得された前記画像形成装置の状態に基づいて前記画像形成装置を省電力状態から復帰させるかを判断する判断手段と、
前記判断手段により、前記画像形成装置を省電力状態から復帰させる必要がないと判断された場合に、当該ジョブを保存する保存手段と、
前記画像形成装置が省電力状態から復帰した場合に、前記保存手段に保存された前記ジョブに基づいて生成されたラスター画像データを前記画像形成装置に送信する送信手段とを備え、
前記送信手段は、前記判断手段により前記画像形成装置を省電力状態から復帰させる必要があると判断された場合に、前記受信したジョブに基づいて生成されたラスター画像データを前記画像形成装置に送信することを特徴とする画像形成システム。
【請求項９】
省電力状態に移行することが可能な画像形成装置と、当該画像形成装置と連携して画像処理を行う画像処理コントローラとを備える画像形成システムの制御方法において、
前記制御方法は、前記画像処理コントローラに、
前記画像形成装置の状態を取得する取得工程と、
前記画像形成装置が省電力状態のときに前記画像処理コントローラが外部装置からジョブを受信した場合、前記取得工程において取得した前記画像形成装置の状態に基づいて前記画像形成装置を省電力状態から復帰させるかを判断する判断工程と、
前記判断工程において、前記画像形成装置を前記省電力状態から復帰させる必要がないと判断した場合に、当該ジョブを保存する保存工程と、
前記画像形成装置が省電力状態から復帰した場合に、前記保存工程において前記保存されたジョブに基づいて生成されたラスター画像データを前記画像形成装置に送信する送信工程とを実行させ、
前記送信工程は、前記判断工程において前記画像形成装置を省電力状態から復帰させる必要があると判断した場合に、前記受信したジョブに基づいて生成されたラスター画像データを前記画像形成装置に送信することを特徴とする制御方法。
【請求項１０】
請求項９に記載の制御方法を画像形成装置に接続された画像処理コントローラに実行させるためのコンピュータに読み取り可能なプログラム。